(57)【要約】【課題】指定された再生領域内にディジタル写真画像を適切に割り付けて再生する画像再生システム及びプログラムを提供する。【解決手段】ディジタル写真画像及びそれに関連付けられた撮影情報を入力するための画像入力手段と、ディジタル写真画像の再生領域を記憶する再生領域記憶手段と、画像入力手段によって入力されたディジタル写真画像に関連付けられた撮影情報に応じて、再生領域の外縁に当該ディジタル写真画像が内接するように拡大して当該ディジタル写真画像全体を再生領域に割り付けて再生する第一の再生処理３２、又は、当該ディジタル写真画像を拡大し当該ディジタル写真画像の一部を再生領域全体に割り付けて再生する第二の再生処理３３のいずれかを実行する再生手段と、を備える。【選択図】  図１
2004241903.tif 000002
【特許請求の範囲】
【請求項１】
ディジタル写真画像及びそれに関連付けられた撮影情報を入力するための画像入力手段と、
ディジタル写真画像の再生領域を記憶する再生領域記憶手段と、
前記画像入力手段によって入力されたディジタル写真画像に関連付けられた撮影情報に応じて、前記再生領域の外縁に当該ディジタル写真画像が内接するように拡大して当該ディジタル写真画像全体を前記再生領域に割り付けて再生する第一の再生処理、又は、当該ディジタル写真画像を拡大し当該ディジタル写真画像の一部を前記再生領域全体に割り付けて再生する第二の再生処理のいずれかを実行する再生手段と、
を備えることを特徴とする画像再生システム。
【請求項２】
前記再生手段は、前記第二の再生処理において、当該ディジタル写真画像の外縁に前記再生領域が内接するように前記ディジタル写真画像を拡大し前記再生領域からはみ出した当該ディジタル写真画像の領域を切り捨てて当該ディジタル写真画像の残部を前記再生領域全体に割り付けて再生することを特徴とする請求項１に記載の画像再生システム。
【請求項３】
前記再生手段は、前記撮影情報により被写体位置が指定されているとき、前記第二の再生処理において、前記ディジタル写真画像と前記再生領域とを前記被写体位置及び前記再生領域の基準情報を用いて位置あわせして前記ディジタル写真画像の被写体位置を含む一部を前記再生領域全体に割り付けて再生することを特徴とする請求項１又は２に記載の画像再生システム。
【請求項４】
前記再生手段は、前記撮影情報により被写体領域が指定されているとき、前記第二の再生処理において、前記ディジタル写真画像と前記再生領域とを前記被写体領域及び前記再生領域内の基準情報を用いて位置あわせして前記ディジタル写真画像の被写体領域を含む一部を前記再生領域全体に割り付けて再生することを特徴とする請求項１に記載の画像再生システム。
【請求項５】
ディジタル写真画像及びそれに関連付けられた撮影情報を入力するための画像入力手段と、
ディジタル写真画像の再生領域を記憶する再生領域記憶手段と、
前記画像入力手段によって入力されたディジタル写真画像に関連付けられた撮影情報に応じて、前記再生領域の外縁に当該ディジタル写真画像が内接するように拡大して当該ディジタル写真画像全体を前記再生領域に割り付けて再生する第一の再生処理、又は、当該ディジタル写真画像を拡大し当該ディジタル写真画像の一部を前記再生領域全体に割り付けて再生する第二の再生処理のいずれかを実行する再生手段としてコンピュータを機能させるための画像再生プログラム。
【発明の詳細な説明】
【０００１】
【発明の属する技術分野】
本発明は画像再生システム及びプログラムに関する。
【０００２】
【従来の技術】
従来、プリンタ、ディスプレイ、プロジェクタ等の画像再生装置とコンピュータとを組み合わせた画像再生システムが知られている。ディジタル写真画像を紙、液晶表示パネル、スクリーン等の描画空間に再生するとき、再生領域を指定し、再生領域とディジタル写真画像とを位置あわせし、再生領域にディジタル写真画像を割り付けて再生する。特許文献１には、再生領域の中心点とディジタル写真画像の中心点を自動的に位置あわせする技術が開示されている。
【０００３】
【特許文献１】
特開平９−１５３１４３号公報
【０００４】
【発明が解決しようとする課題】
ところで、例えばディジタル写真画像のアスペクト比と再生領域のアスペクト比が異なる場合、再生領域全体にディジタル写真画像を割り付けようとすると、ディジタル写真画像の縁の一部を切り捨てる必要がある。しかし、ディジタル写真画像の縁の一部を切り捨てることによって、被写体の重要な部分が撮影されている領域が再生されない場合が生ずるという問題がある。
【０００５】
本発明は、かかる問題を解決するために創作されたものであって、指定された再生領域内にディジタル写真画像を適切に割り付けて再生する画像再生システム及びプログラムを提供することを目的とする。
【０００６】
【課題を解決するための手段】
上記目的を達成するため、本発明に係る画像再生システムは、ディジタル写真画像及びそれに関連付けられた撮影情報を入力するための画像入力手段と、ディジタル写真画像の再生領域を記憶する再生領域記憶手段と、画像入力手段によって入力されたディジタル写真画像に関連付けられた撮影情報に応じて、再生領域の外縁に当該ディジタル写真画像が内接するように拡大して当該ディジタル写真画像全体を再生領域に割り付けて再生する第一の再生処理、又は、当該ディジタル写真画像を拡大し当該ディジタル写真画像の一部を再生領域全体に割り付けて再生する第二の再生処理のいずれかを実行する再生手段と、を備えることを特徴とする。ディジタル写真画像を一部切り捨てて再生領域に割り付けるか、切り捨てることなくディジタル写真画像の全体を再生領域に割り付けるかを、ディジタル写真画像に関連付けられた撮影情報に応じて決めることにより、指定された再生領域内にディジタル写真画像を適切に割り付けて再生することができる。具体的には例えば、パノラマ撮影モードで記録されたディジタル写真画像を第一の再生処理により再生領域内に全体が納まるように割り付けることができる。また例えば、風景撮影モードで記録されたディジタル写真画像の一部を第二の再生処理により再生領域全体に割り付けることができる。
【０００７】
さらに本発明に係る画像再生システムの再生手段は、第二の再生処理において、当該ディジタル写真画像の外縁に再生領域が内接するようにディジタル写真画像を拡大し再生領域からはみ出した当該ディジタル写真画像の領域を切り捨てて当該ディジタル写真画像の残部を再生領域全体に割り付けて再生することを特徴とする。ディジタル写真画像の外縁に再生領域が内接するようにディジタル写真画像を拡大し再生領域からはみ出したディジタル写真画像の領域を切り捨ててその残部を再生領域全体に割り付けることにより、ディジタル写真画像の切り捨てられる領域を最小化しつつ、再生領域全体にディジタル写真画像を割り付けすることができる。
【０００８】
さらに本発明に係る画像再生システムの再生手段は、撮影情報により被写体位置が指定されているとき、第二の再生処理において、ディジタル写真画像と再生領域とを被写体位置及び再生領域の基準情報を用いて位置あわせしてディジタル写真画像の被写体位置を含む一部を再生領域全体に割り付けて再生することを特徴とする。被写体位置とは、ディジタル写真画像のどの部分に被写体の主要部が記録されているかを示すための情報であって、ディジタル写真画像上の特定の位置を指定する情報である。具体的には例えば、ディジタル写真画像の左上画素を原点とする座標値によってディジタル写真画像のある画素を指定する情報である。再生領域の基準情報とは、再生領域のどの部部分を基準にして再生領域とディジタル写真画像とを位置合わせするかを指定する情報である。具体的には例えば、右端、中央、左端、上端、下端、右上隅、左下隅のように再生領域の特定部分を指定する情報である。被写体位置及び再生領域の基準情報を用いることにより被写体位置が再生領域内に入るようにディジタル写真画像と再生領域とを位置合わせすることができる。したがって、被写体位置及び再生領域の基準情報を用いることにより、ディジタル写真画像の主要部を含む一部を再生領域内全体に割り付けて再生することができる。
【０００９】
さらに本発明に係る画像再生システムの再生手段は、撮影情報により被写体領域が指定されているとき、第二の再生処理において、ディジタル写真画像と再生領域とを被写体領域及び再生領域内の基準情報を用いて位置あわせしてディジタル写真画像の被写体領域を含む一部を再生領域全体に割り付けて再生することを特徴とする。被写体領域とは、ディジタル写真画像のどの部分に被写体の主要部が記録されているかを示すための情報であって、ディジタル写真画像上の特定の領域を指定する情報である。具体的には例えば、ディジタル写真画像の左上画素を原点とする座標値と直径によってディジタル写真画像のある画素を中心とする円領域を指定する情報である。再生領域の基準情報及び被写体領域を用いることにより被写体領域全体が再生領域内に入るようにディジタル写真画像と再生領域とを位置合わせすることができる。したがって、再生領域の基準情報及び被写体領域を用いることにより、ディジタル写真画像の主要部を含む一部を再生領域内全体に割り付けて再生することができる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【００１１】
【発明の実施の形態】
以下、本発明の実施の形態を複数の実施例に基づいて説明する。尚、本明細書において拡大とは、縮小を含む概念で用いるものとする。例えば写真画像が割り付けの際に元の写真画像の０．５倍の大きさまで縮小されたとすると、それは０．５倍に拡大されたものとする。
【００１２】
（第一実施例）
第一実施例は、第二の再生処理において、ディジタル写真画像（以下、「写真画像」という）の外縁に再生領域が内接するように写真画像を拡大し、再生領域からはみ出した当該写真画像の領域を切り捨てて当該写真画像の残部を再生領域全体に割り付けて再生する場合の例である。
【００１３】
図２は、本発明の第一実施例に係る画像再生システムとしてのプリンタ１のハードウェア構成を示すブロック図である。プリンタ１はパーソナルコンピュータ等による制御を必要とせず、写真画像から印刷データを生成して印刷することが可能な所謂スタンドアロンプリンタである。
ディスプレイ１１は、ＬＣＤ（Ｌｉｑｕｉｄ  Ｃｒｙｓｔａｌ  Ｄｉｓｐｌａｙ）などで構成され、ディスプレイ制御部１２によって制御される。ディスプレイ制御部１２は、ＶＲＡＭ、駆動回路等を備える。ディスプレイ制御部１２は制御部１５によって制御され、リムーバブルメモリ１９に記憶されている写真画像の選択や後述するレイアウト情報ファイルの選択、印刷の指示などを受け付けるための各種のメニューをディスプレイ１１に表示させる。
【００１４】
画像入力手段としての入力部１４は、制御部１５によって制御され、リムーバブルメモリ１９に記憶された写真画像を読み出してワークメモリ１６に格納する。リムーバブルメモリ１９は入力部１４に脱着自在の記憶媒体であって、具体的には例えば脱着自在のカード型フラッシュメモリである。尚、第一実施例では写真画像をリムーバブルメモリ１９から読み込むことで入力するが、入力部１４をネットワークインタフェースカードやモデムなどで構成し、ＬＡＮや電話回線などの通信ネットワーク経由で写真画像を入力するようにしてもよい。また、ＵＳＢやＢｌｕｅｔｏｏｔｈなどでパーソナルコンピュータに接続し、パーソナルコンピュータから受信することで入力するようにしてもよい。
【００１５】
再生手段としての画像処理部１７は、ワークメモリ１６に格納された写真画像に対する各種の画像処理を制御部１５と協働して実行するＡＳＩＣである。各種の画像処理とは、具体的には例えばＪＰＥＧ規格で圧縮されている写真画像の伸張、伸張された写真画像の色空間の変換、ガンマ補正、カラーバランス調整、シャープネス調整、コントラスト調整、写真画像の解像度を印刷解像度に変換する解像度変換、ディジタル画像を２値化する２値化処理、２値化されたディジタル画像をプリンタエンジン１８に転送すべき順序に並べ替えて印刷データを生成するインターレス処理などである。尚、それらの画像処理を制御部１５と画像処理部１７とのいずれで行うかは適宜選択し得る設計事項である。
【００１６】
再生手段としてのプリンタエンジン１８は、画像処理部１７で生成された印刷データに基づいて印刷用紙に画像を形成する。プリンタエンジン１８は印字ヘッドを搭載するキャリッジ、キャリッジを往復移動させる駆動機構、印刷用紙を搬送する搬送機構などで構成され、それらは制御部１５によって制御される。キャリッジには印字ヘッドの他に印字ヘッドがインクを吐出するためのインクタンクが印字可能な色毎に搭載されている。尚、プリンタエンジン１８は例えばレーザ方式でカラー画像を形成するものであってもよい。
【００１７】
制御部１５は、ＣＰＵ、及び再生領域記憶手段としてのＲＯＭを備える。ＣＰＵはＲＯＭに記憶されたプログラムを実行してプリンタ１の全体を制御する。また、ＣＰＵはＲＯＭに記憶された画像再生プログラムを実行することで再生手段としても機能する。ＲＯＭは画像再生プログラム、レイアウト情報ファイル、各種のデータなどを予め記憶しているメモリである。これらのプログラムや各種のデータは、所定のサーバからネットワークを介してダウンロードして入力してもよいし、リムーバブルメモリ１９等のコンピュータ読み取り可能な記憶媒体から読み出して入力してもよい。
【００１８】
図３は、ディジタルスチルカメラによってリムーバブルメモリ１９に格納された画像ファイルの一例を示す模式図である。画像ファイル４５は、写真画像と付属情報とで構成されている。ここで付属情報とは、例えばディジタルスチルカメラによって撮影時に記録されるもので、撮影情報、撮影日時、露出時間、シャッタースピードなどを含む情報である。撮影情報は、具体的には例えば写真画像を記録したディジタルスチルカメラにおいて当該写真画像を記録した際に選択されていた撮影モードを表す情報である。撮影情報はディジタルスチルカメラによって画像ファイル４５に格納されることで当該画像ファイル４５に格納されている写真画像に関連付けられる。
【００１９】
本実施例では、風景写真を記録するための”風景撮影モード”、人物を記録するための”人物撮影モード”、被写体に近接して記録するための”マクロ撮影モード”、パノラマ写真を記録するための”パノラマ撮影モード”、製品写真を記録するための”プロダクト撮影モード”などの撮影モードを選択可能なディジタルスチルカメラによって写真画像が記録される場合を例に説明する。図１に示す写真画像２１ａ〜２１ｅは各モードで記録した写真画像を表している。”風景撮影モード”は、一般にある特定の被写体の撮影を目的として選択されることが多い。例えば富士山を撮影する場合は”風景撮影モード”が選択され、その場合、撮影した写真画像における主要部は富士山が写っている領域ということになる。”人物撮影モード”も同様であり、主要部は人物が写っている領域である。すなわち、”風景撮影モード”及び”人物撮影モード”では、一般に記録した写真画像において比較的狭い一部の領域が主要部となることが多く、それらのモードで記録された写真画像については、主要部を再生領域になるべく大きく割り付けることが適切であるといえる。一方、”マクロ撮影モード”、”パノラマ撮影モード”、及び”プロダクト撮影モード”は、一般に写真画像の全体が主要部となることが多い。例えば”パノラマ撮影モード”はある風景についてその全体を撮影するために選択されるものであり、写真画像全体があって初めてその目的が満たされる。”マクロ撮影モード”は、ある被写体を拡大して撮影するものであり、写真画像はほぼ全域が目的の被写体を表すことになる。従って主要部以外の領域は少なく、写真画像のほぼ全域が主要部であるといえる。”プロダクト撮影モード”は、ある製品の紹介に用いる写真画像を記録するためのモードである。一般に”プロダクト撮影モード”では写真画像の全域に大きく製品が表れるように記録されることが多いため、この場合も写真画像のほぼ全域が主要部であるといえる。すなわち、”マクロ撮影モード”、”パノラマ撮影モード”、及び”プロダクト撮影モード”で記録された写真画像については、全体を再生領域に割り付けることが適切であるといえる。
【００２０】
図４は、レイアウト情報ファイルの一例を示す模式図である。レイアウト情報ファイル４６は、写真画像を用紙上に印刷する際のレイアウトを定義する情報で構成されており、具体的には例えば、再生媒体サイズ、再生領域の外縁に相当する画像枠の左上と右下の座標、再生領域の基準情報等で構成されている。再生領域の基準情報とは、再生領域のどの部分を基準にして再生領域と写真画像とを位置合わせするかを指定する情報である。具体的には例えば、右端、中央、左端、上端、下端、左上隅、右下隅のように再生領域の特定部分を指定する情報である。図示する例のレイアウト情報ファイルは、基準情報として再生領域の中央が指定されていることを表している。尚、基準情報は座標で指定してもよいし、基準情報をプリンタで指定できるようにしてもよい。また、レイアウト情報ファイルには複数の再生領域を定義してもよい。
【００２１】
図５は、画像再生プログラムのデータフロー図である。図示するように画像再生プログラムは、再生処理の判定プロセス３１、第一の再生処理プロセス３２、第二の再生処理プロセス３３をコンピュータとしての制御部１５に実行させる。再生処理の判定プロセス３１は、入力部１４に装着されたリムーバブルメモリ１９に記憶された画像ファイルから撮影情報を読み出し、読み出した撮影情報に基づいて第一の再生処理プロセス３２を実行するか第二の再生処理プロセス３３を実行するかを判定するプロセスである。具体的には例えば、メニュー操作によってユーザにより指定された画像ファイルから撮影情報を読み出し、撮影情報に”マクロ撮影モード”、”プロダクト撮影モード”又は”パノラマ撮影モード”が指定されていれば第一の再生処理プロセス３２を実行すると判定し、”風景撮影モード”又は”人物撮影モード”が指定されていれば第二の再生処理プロセス３３を実行すると判定する。判定後、再生処理の判定プロセス３１は判定したプロセスに実行を指示する。撮影情報に応じて処理を分岐させることにより、写真画像を適切に割り付けて再生することが可能になる。
【００２２】
第一の再生処理プロセス３２は、再生領域の外縁に写真画像が内接するように拡大して写真画像全体を再生領域に割り付けて再生するプロセスである。例えばユーザにより図３に示すパノラマ撮影モードで記録された写真画像２１ｅを図４に示すレイアウト情報ファイル４６に基づいて印刷するよう指示されたとする。第一の再生処理プロセス３２は、図６に示すように、写真画像２１ｅをその中央が再生領域の中央に一致するよう配置し、再生領域２３からはみ出す直前の大きさまで縦横等倍に拡大する。はみ出す直前まで拡大したとき、写真画像の少なくとも１辺は再生領域２３の外縁に内接することになる。例えば写真画像２１ｅの場合は再生領域２３に対して相対的に横長であるため、中央を一致させることにより図６に示すように右辺及び左辺の２辺がそれぞれ再生領域２３の外縁に内接することになる。ここで図６に示す印刷用紙２２ｅははがきに相当する。これによりパノラマ撮影モードで記録された写真画像２１ｅが図１（Ｅ）に示すように再生領域２３内に全体が納まるように割り付けられる。図１（Ｃ）に示すマクロ撮影モードで記録された写真画像２１ｃについても同様にして印刷用紙２２ｃに示すように印刷される。一方、図１（Ｄ）に示すプロダクト撮影モードで記録された写真画像２１ｄの場合は、はみ出す直前まで拡大したとき上辺と下辺とが再生領域２３の外縁に内接し、印刷用紙２２ｄに示すように再生領域２３内に割り付けられる。すなわち、”マクロ撮影モード”、”パノラマ撮影モード”、及び”プロダクト撮影モード”で記録した写真画像については、第一の再生処理プロセス３２を実行するよう処理を分岐することにより適切に割り付けて印刷できる。これにより、例えばパノラマ撮影モードで記録した写真画像であればその全体が印刷されることでその写真画像を撮影した当初の目的が満たされる。尚、印刷する文字及びその再生領域をレイアウト情報ファイルに定義することで、印刷用紙２２ａ、ｃ、ｄ及びｅに示すように文字を併せて印刷するようにしてもよい。
【００２３】
第二の再生処理プロセス３３は、写真画像を拡大し当該写真画像の一部を再生領域全体に割り付けて再生するプロセスである。例えばユーザにより図１（Ａ）に示す風景撮影モードで記録された写真画像２１ａをレイアウト情報ファイルに基づいて印刷するよう指示されたとする。尚、ここではレイアウト情報ファイルに基準情報として”左上隅”が指定されている場合を例に説明する。第二の再生処理プロセス３３は、具体的には例えば図７（Ａ）に示すように写真画像２１ａの左上を再生領域２３の左上に一致させる。これにより写真画像２１ａの上辺が再生領域２３の上辺に、及び写真画像２１ａの左辺が再生領域２３の左辺に内接する。次に、写真画像２１ａを拡大する倍率を決定し、決定した倍率で写真画像２１ａを縦横等倍に拡大して再生領域２３に割り付ける。第二の再生処理プロセス３３は、左上隅を一致させる場合、写真画像２１ａの下辺が再生領域２３の外縁に内接するまで拡大するときの倍率と、右辺が再生領域２３の外縁に内接するまで拡大するときの倍率とを比較し、いずれか大きい方を拡大する倍率として決定する。例えば、下辺が内接するためには１．７倍にする必要があり、右辺が内接するには１．３倍にする必要があるとする。第二の再生処理プロセス３３は大きい方である１．７倍を拡大する倍率として決定する。この場合、右辺は１．３倍に拡大されたときに再生領域２３の外縁に内接することから、１．７倍に拡大されたとき、右辺及び右辺近傍は再生領域２３からはみ出すことになる。しかしながら、下辺については再生領域２３の外縁に内接することになる。大きい方を拡大する倍率とするのは、小さい方を拡大する倍率とした場合、上記の例であれば１．３倍を拡大する倍率とした場合、下辺が内接するのに必要な倍率である１．７倍まで拡大されないため、再生領域２３において写真画像２１ａの下辺と再生領域２３の下辺との間に写真画像２１ａが割り付けられていない領域が残り、写真画像２１ａの一部が再生領域２３の全体に割り付けられたことにならなくなるからである。大きい方の倍率に決定することで、写真画像２１ａの一部を再生領域２３の全体に割り付けることができ、再生領域２３全体を有効に活用できる。次に、第二の再生処理プロセス３３は、写真画像２１ａを印刷する。このとき第二の再生処理プロセス３３は、図７（ｂ）に示す印刷結果のように、再生領域２３内にある部分のみを印刷する。すなわち第二の再生処理プロセス３３は、はみ出した領域を切り捨てて残部を再生する。よって、”風景撮影モード”及び”人物撮影モード”で記録した写真画像については、第二の再生処理プロセス３２を実行するよう処理を分岐することにより適切に割り付けて印刷できる。これにより、例えば風景撮影モードで記録した写真画像２１ａであればその主要部である富士山近傍が拡大されて印刷され、無用な部分が再生領域２３に印刷されないため再生領域２３を有効に活用できる。写真画像２１ａの外縁に再生領域２３が内接するように写真画像２１ａを拡大するため、切り捨てられる領域を最小化しつつ割り付けることができる。
【００２４】
図８は、画像再生システムの処理の流れを示すフローチャートである。
Ｓ１０５では、ユーザにより指定された画像ファイルをリムーバブルメモリ１９から読み出し、実行する再生処理を判定する。撮影情報が”パノラマ撮影モード”、”マクロ撮影モード”又は”プロダクト撮影モード”を示す場合はＳ１１０に進む。一方、”風景撮影モード”又は”人物撮影モード”を示す情報の場合はＳ１１５に進む。
【００２５】
Ｓ１１０では、第一の再生処理プロセス３２を実行し、ユーザにより指定された写真画像をリムーバブルメモリ１９から読み出し、ユーザにより指定されたレイアウト情報ファイルをＲＯＭから読み出して印刷する。
Ｓ１１５では、第二の再生処理プロセス３３を実行し、ユーザにより指定された写真画像をリムーバブルメモリ１９から読み出し、ユーザにより指定されたレイアウト情報ファイルをＲＯＭから読み出して印刷する。
【００２６】
以上説明した本発明の第一実施例に係る画像再生システムによると、写真画像を一部切り捨てて再生領域２３に割り付けるか、切り捨てることなく写真画像の全体を再生領域２３に割り付けるかを、写真画像に関連付けられた撮影情報に応じて決める。これにより、指定された再生領域２３内に写真画像を適切に割り付けて再生することができる。
【００２７】
尚、第一実施例では撮影情報として撮影モードを例に説明したが、撮影情報は例えば被写体との距離を表す情報であってもよく、その場合は、距離に応じて処理を分岐させることになる。
また、第一実施例では画像再生システムとしてスタンドアロンプリンタを例に説明したが、画像再生システムをパーソナルコンピュータとプリンタとで構成し、パーソナルコンピュータによる制御の下でプリンタにより印刷を行ってもよい。また、ディスプレイを備えたパーソナルコンピュータのみで画像再生システムを構成し、写真画像をディスプレイに表示することで再生してもよい。また、パーソナルコンピュータとプロジェクタとで構成し、スクリーンに投影することで再生してもよい。
【００２８】
（第二実施例）
第二実施例は、撮影情報により被写体位置が指定されているとき、第二の再生処理において、写真画像と再生領域とを被写体位置及び再生領域の基準情報を用いて位置あわせして写真画像の被写体位置を含む一部を再生領域全体に割り付けて再生する場合の例である。尚、第二実施例では第一実施例と実質的に同一な部分については説明を省略する。
【００２９】
図９は、第二実施例における画像ファイルを示す模式図である。画像ファイル４７は、第一実施例と同様に写真画像と付属情報とで構成されている。第二実施例の付属情報には、第一実施例の付属情報に含まれる情報に加え、被写体の位置を示す情報である被写体位置が含まれる。被写体位置とは、写真画像のどの部分に被写体の主要部が記録されているかを示すための情報であって、写真画像上の特定の位置を指定する情報である。具体的には例えば、写真画像の左上画素を原点とする座標値によって写真画像のある一画素を指定する情報である。
【００３０】
第二実施例における第二の再生処理プロセス３３は、例えば図９に示す写真画像２１ａを図４に示すレイアウト情報ファイル４６を用いて再生する場合、図１０に示すように被写体位置ｐが再生領域２３の中央ｑに一致するよう位置を合わせ、写真画像２１ａの少なくとも一辺が再生領域２３に重なり、且つ再生領域２３全体に写真画像２１ａの一部が割り付けられる大きさになるまで写真画像を被写体位置ｑが中央ｑに重なった状態を維持しつつ縦横等倍に拡大する。倍率の決定は第一実施例と同様であり、各辺について内接に必要な倍率を判定し、最も大きい倍率で拡大する。例えば図１０に示す例は、上辺が内接するために必要な倍率が最も大きい倍率であった場合を表している。図１（Ａ）の印刷用紙２２ａは、第二実施例の第二の再生処理プロセス３３による印刷結果を示している。印刷時には、はみ出した領域は第一実施例と同様に切り捨てられる。被写体位置ｐ及び再生領域２３の基準情報ｑを用いることにより、写真画像２１ａの主要部を含む一部を再生領域２３内全体に割り付けて再生することができる。
【００３１】
（第三実施例）
第三実施例は、第二の再生処理において、写真画像と再生領域とを被写体領域及び再生領域内の基準情報を用いて位置あわせして写真画像の被写体領域を含む一部を再生領域全体に割り付けて再生する場合の例である。尚、第三実施例では第一又は第二実施例と実質的に同一な部分については説明を省略する。
【００３２】
図１１は、第三実施例の画像ファイルを示す模式図である。画像ファイル４９は、第一実施例と同様に写真画像と付属情報とで構成されている。第三実施例の付属情報には、第一実施例の付属情報に含まれる情報に加え、被写体の領域を示す情報である被写体領域が含まれる。被写体領域とは、写真画像のどの部分に被写体の主要部が記録されているかを範囲指定するための情報であって、写真画像上の特定の位置を範囲で指定する情報である。被写体領域は、具体的には例えば領域形状、領域位置、領域半径及び領域縦横で特定される。領域位置は、第二実施例の被写体位置と同義の情報である。領域半径は、領域形状が円のときに有効な情報であって領域位置を中心とする円の半径を示す。領域縦横は領域形状が矩形のときに有効な情報であって矩形の縦及び横の辺の長さを示す。例えば、領域形状が「円」で領域位置が（ｘ、ｙ）で領域半径がｒのとき、主要部は、領域位置（ｘ、ｙ）を中心とし半径がｒの円で囲まれた領域である。また、領域形状が「矩形」で領域位置が（ｘ、ｙ）で領域縦横がＨ、Ｗのとき、主要部は、領域位置（ｘ、ｙ）を重心とし縦がＨ、横がＷの矩形で囲まれた領域である。
【００３３】
図１２は、第三実施例のレイアウト情報ファイルを示す模式図である。第三実施例のレイアウト情報ファイルとしては第一実施例のレイアウト情報ファイル４６をそのまま用いることも可能であるが、ここではレイアウト情報ファイル４６で定義される情報に加え、背景画像及びαチャンネル情報が定義されたレイアウト情報ファイル５０を例に説明する。”背景画像”は、写真画像の背景として写真画像と合成する画像ファイルを特定する情報であり、例えば背景画像ファイル５１のファイル名が定義される。”αチャンネル”はαチャンネル情報を特定する情報であり、例えばαチャンネル情報が格納されたファイル５２のファイル名が定義される。ここでαチャンネル情報とは、２つの画像を重畳合成するときにどちらの画像の画素を合成画像に反映させるかを画素毎に定義した情報であり、図示する例の場合、網掛け領域については背景画像の画素が反映されることを意味している。
【００３４】
第三実施例における第二の再生処理プロセス３３は、例えば図１１に示す写真画像２１ｂを図１２に示すレイアウト情報ファイル５０を用いて再生する場合、図１３に示すように領域位置ｐが再生領域２３の中央ｑに一致するよう位置を合わせ、被写体領域２４の少なくとも一辺が再生領域２３に重なるまで写真画像２１ｂを被写体位置ｐが中央ｑに重なった状態を維持しつつ縦横等倍に拡大する。図１３に示す例の場合であれば、円形の被写体領域２４の上部の点が上辺に接するまで拡大する。図１（Ｂ）に示す印刷用紙２２ｂは、第三実施例における第二の再生処理プロセス３３による印刷結果を示している。再生領域２３の基準情報ｑ及び被写体領域２４を用いることにより被写体領域２４全体が再生領域２３内に入るように写真画像２１ｂと再生領域２３とを位置合わせすることができる。したがって、写真画像２１ｂの主要部を含む一部を再生領域２３内全体に割り付けて印刷することができる。
【図面の簡単な説明】
【図１】第一及び第二の再生処理による再生結果を示す模式図である。
【図２】画像再生システムのブロック図である。
【図３】第一実施例の画像ファイルを示す模式図である
【図４】第一実施例のレイアウト情報ファイルを示す模式図である
【図５】画像再生プログラムのデータフロー図である。
【図６】第一の再生処理による再生を説明するための模式図である。
【図７】第二の再生処理による再生を説明するための模式図である。
【図８】画像再生システムの処理の流れを示すフローチャートである。
【図９】第二実施例の画像ファイルを示す模式図である。
【図１０】第二の再生処理による再生を説明するための模式図である。
【図１１】第三実施例の画像ファイルを示す模式図である。
【図１２】第三実施例のレイアウト情報ファイルを示す模式図である。
【図１３】第二の再生処理による再生を説明するための模式図である。
【符号の説明】
１４  入力部（画像入力手段）、１５  制御部（再生手段、再生領域記憶手段）、１７  画像処理部（再生手段）、１８  プリンタエンジン（再生手段）、２３再生領域、２４  被写体領域
【図１】
2004241903.tif 000003
【図２】
2004241903.tif 000004
【図３】
2004241903.tif 000005
【図４】
2004241903.tif 000006
【図５】
2004241903.tif 000007
【図６】
2004241903.tif 000008
【図７】
2004241903.tif 000009
【図８】
2004241903.tif 000010
【図９】
2004241903.tif 000011
【図１０】
2004241903.tif 000012
【図１１】
2004241903.tif 000013
【図１２】
2004241903.tif 000014
【図１３】
2004241903.tif 000015